(57)【要約】【課題】はき心地よく、ヒップアップに見えバックスタイルの美的印象を高めたジーンズを提供する。【解決手段】ベルト部、ヨーク部、後身頃、および前身頃を有するジーンズであって、ヨーク部の左右両側において、後身頃がベルト部に縫合されてなることを特徴とするジーンズ。【選択図】図１
0003105712.tif 000002
【実用新案登録請求の範囲】
【請求項１】
ベルト部、ヨーク部、後身頃、および前身頃を有するジーンズであって、ヨーク部の左右両側において、後身頃がベルト部に縫合されてなることを特徴とするジーンズ。
【請求項２】
ヨーク部がほぼ三角形の形状を有する請求項１に記載のジーンズ。
【請求項３】
ヨーク部の巾Ｗ１が、後身頃の巾Ｗ２に対して、Ｗ１／Ｗ２で０．５〜０．９９の範囲内である請求項１または請求項２に記載のジーンズ。
【請求項４】
ヨーク部において、高さＨと巾Ｗ１との比がＨ／Ｗ１で０．１〜０．７の範囲内である請求項１〜３のいずれかに記載のジーンズ。
【請求項５】
後ポケットを有する請求項１〜４のいずれかに記載のジーンズ。
【請求項６】
ジーンズがレデイスジーンズである請求項１〜５のいずれかに記載のジーンズ。
【考案の詳細な説明】
【技術分野】
【０００１】
本考案は、ヒップアップに見えバックスタイルの美的印象を高めたジーンズに関するものである。
【背景技術】
【０００２】
デニム地等から縫製されたズボンであるジーンズは、独特の風合いと形状を備ねたものとして古くから知られている。
【０００３】
従来のジーンズにおいて、図２に示すように、ヒップ部分に合わせた立体形状を形成するために、切替えとして、後方側に継ぎ布であるヨーク部（バックヨークと称されることもある。）を取り付けている。これは、着用時にウエストラインに位置するベルト部と後身頃との間に縫合されるほぼ５角形の布であり、かかるヨーク部によりはき心地が向上する。
【０００４】
一方最近では、美的印象を与えるジーンズの提案が消費者から望まれており、例えば、股上の浅いジーンズ、ヨークを省略したジーンズ（例えば特許文献１参照）、ポケット部の袋の素材を伸縮性素材とすることにより美脚的印象を与えるジーンズ（例えば特許文献２参照）などが提案されている。
【０００５】
【特許文献１】登録実用新案第３０８５７４９号公報
【特許文献２】登録実用新案第３０９８２８５号公報
【考案の開示】
【考案が解決しようとする課題】
【０００６】
本考案は、上記の背景に鑑みなされたものであり、その目的は、はき心地よく、ヒップアップに見えバックスタイルの美的印象を高めたジーンズを提供することにある。
【課題を解決するための手段】
【０００７】
本考案者は、上記目的を達成するため鋭意検討した結果、ヨーク部がベルト部と後身頃とで囲まれるように、ヨーク部の左右両側において、後身頃をベルト部に縫合させることにより、はき心地よく、ヒップアップに見えバックスタイルの美的印象を高めたジーンズが得られることを見出し、さらに鋭意検討を重ねることにより本考案に想到した。
【０００８】
かくして、本考案によれば「ベルト部、ヨーク部、後身頃、および前身頃を有するジーンズであって、ヨーク部の左右両側において、後身頃がベルト部に縫合されてなることを特徴とするジーンズ。」が提供される。
【０００９】
その際、ヨーク部がほぼ三角形の形状を有することが好ましい。かかるヨーク部の巾Ｗ１としては、後身頃の巾Ｗ２に対して、Ｗ１／Ｗ２で０．５〜０．９９の範囲内であることが好ましい。また、ヨーク部の高さＨと巾Ｗ１との比が、Ｈ／Ｗ１で０．１〜０．７の範囲内であることが好ましい。
【００１０】
本考案のジーンズにおいて、後ポケットを有することが好ましい。本考案のジーンズは、レデイスジーンズとして特に好適に使用することができる。
【考案の効果】
【００１１】
本考案によれば、はき心地よく、視覚的にヒップアップに見えバックスタイルの美的印象を高めたジーンズが得られる。
【考案を実施するための最良の形態】
【００１２】
以下、本考案の実施の形態について図とともに説明する。図１は本考案のジーンズを背面側からみた後面図であり、図２は従来のジーンズを背面側からみた後面図である。
【００１３】
本考案のジーンズは、ベルト部１、ヨーク部２、後身頃３、および前身頃を有している。これらベルト部１とヨーク部２、ヨーク部２と後身頃３、ベルト部１と前身頃、後身頃３と前身頃は縫合され、そしてヨーク部２の左右両側において、後身頃３がベルト部１に縫合されている。すなわち、ヨーク部２は、上側に位置するベルト部１と下側に位置する後身頃３とで囲まれている。このような構成を採用することにより、後ポケット４の位置を従来のジーンズに比べて高い位置に配することが可能となり、視覚的にヒップアップに見えるという視覚的効果が得られる。しかも、ホールド感が向上し不自然な余りジワができることなく、着用時のはき心地もよい。
【００１４】
これに対して、図２に示す従来のジーンズでは、背面側において、ヨーク部は、上側に位置するベルト部、下側に位置する後身頃、そして両脇で前身頃に縫着されている。このように、後身頃はベルト部には縫合されていない。その結果、ヒップアップには見えず、またホールド感もなく、不自然な余りジワが発生するおそれがある。
【００１５】
本考案のジーンズにおいて、ヨーク部の周囲を形成するラインは曲線でもよいが、バックスタイルの美的印象をより一層高める上で、ラインは直線に近いほどよく、ヨーク部の形状がほぼ三角形であることが好ましい。
【００１６】
また、かかるヨーク部において、ヨーク部の巾Ｗ１は自由に設定できるが、後身頃の巾Ｗ２に対して、Ｗ１／Ｗ２で０．５〜０．９９の範囲内であることが好ましい。さらに、該ヨーク部において、高さＨと巾Ｗ１との比としては、Ｈ／Ｗ１で０．１〜０．７の範囲内であることが好ましい。
【００１７】
本考案のジーンズにおいて、後ポケットを有していると、後ポケット４の位置を従来のジーンズに比べて高い位置に配することが可能となり、視覚的にヒップアップに見えるので好ましい。かかる後ポケットの個数は１個でもよいが、左右１個ずつ有していることが好ましい。さらには、前ポケット、ウオッチポケット、ベルトループ、リベット、バックル、ジッパー、ボタンなど通常の付属品を有していてもよい。
【００１８】
本考案のジーンズを構成する素材としては特に限定されず、通常のデニム素材、ストレッチデニム素材、コール天ジーンズ素材、カラージーンズ素材等が例示される。より具体的には、綿繊維、ポリエステル繊維などからなる単独糸条や、ポリウレタン弾性糸やポリエーテルエステル弾性糸を芯部に配し綿繊維やポリエステル繊維を鞘部に配したストレッチ性複合糸などをブルーやブラックに適宜糸染めした後、綾織組織やコール天組織に織成した素材などが例示される。前記繊維の断面形状も特に限定されず、通常の丸断面だけでなく、中空断面とし軽量感を持たせた素材（例えば、帝人ファイバー（株）製「バルコッテイ」（登録商標））でもよい。
【００１９】
本考案のジーンズは、ヨーク部の左右両側において、後身頃がベルト部に縫合できるよう適宜各パーツを用意し、ジーンズを縫製することにより得られる。その際、ジーンズを縫製する前および／または後に、ストーンウオッシュ加工を施し、自然な擦れ感と古色が現れたものでもよい。さらには、帝人ワオ（株）製「アミノジーンズ」（登録商標）のように、アミノ酸加工を施してもよい。
【００２０】
本考案のジーンズは、前述のように、後ポケット４の位置を従来のジーンズに比べて高い位置に配することが可能となり、視覚的にヒップアップに見える。しかも、ホールド感が向上し不自然な余りジワができることなく、着用時のはき心地もよい。このため、レデイスジーンズとして使用することが好適であるが、メンズジーンズや子供用ジーンズとして使用してもさしつかえない。
【実施例】
【００２１】
以下、実施例をあげて本考案を詳細に説明するが、本考案はこれらによって何ら限定されるものではない。
【００２２】
［実施例１］
通常のデニム素材を用いて、図１に示すようなほぼ３角形のヨーク部を有するレデイスジーンズ（Ｗ１／Ｗ２＝０．７、Ｈ／Ｗ１＝０．２、左右１個ずつの後ポケット付き）を縫製した後、試験者（２０歳代の女性）に着用してもらったところ、視覚的にヒップアップに見えた。しかも、ホールド感が向上し不自然な余りジワができることなく、着用時のはき心地もよかった。さらに、脇線もきれいであった。
【００２３】
［比較例１］
通常のデニム素材を用いて、図２に示すような五角形（ホームベース形）のヨーク部を有するレデイスジーンズ（Ｗ１／Ｗ２＝１、Ｈ／Ｗ１＝０．２、左右１個ずつの後ポケット付き）を縫製した後、試験者（２０歳代の女性）に着用してもらったところ、視覚的にヒップアップに見えなかった。また、ホールド感もなく不自然な余りジワが発生した。
【産業上の利用可能性】
【００２４】
本考案によれば、はき心地よく、ヒップアップに見えバックスタイルの美的印象を高めたジーンズが提供され、その工業的価値は極めて大である。
【図面の簡単な説明】
【００２５】
【図１】本考案に係るジーンズの実施の形態を示す後面図である。
【図２】従来のジーンズの実施の形態を示す後面図である。
【符号の説明】
【００２６】
１  ベルト部
２  ヨーク部
３  後身頃
４  後ポケット
５  ヨーク部
【図１】
0003105712.tif 000003
【図２】
0003105712.tif 000004